(57)【要約】  【課題】  製造コストを大幅に低減しつつ、カセット本体に対する蓋の係合力が一定となる医療検査用カセットを提供する。  【解決手段】  上面開放方形状の容器からなるカセット本体２と、該カセット本体２の上面に取り付けられる蓋３とを備え、これらカセット本体２と蓋３とは薄肉の折曲部４を介して一体成形され、蓋３は折曲部４を支点に折り曲げ操作可能であり、蓋３の先端部には係合部１２が設けられ、カセット本体２の先端部には被係合部９が設けられ、蓋３をカセット本体２の上面に取り付けた際に係合部９は被係合部１２に対して蓋３が開くことを阻止するように係合し、該係合部９の係合は、係合部９又は被係合部１２を左右方向に移動させることにより解除されるようにする。【選択図】  図１
2005106485.tif 000002
【特許請求の範囲】
【請求項１】
上面開放方形状の容器からなるカセット本体と、該カセット本体の上面に取り付けられる蓋とを備え、これらカセット本体と蓋とは薄肉かつ左右方向に長尺の折曲部を介して一体成形され、蓋の先端部近傍には係合部が設けられ、カセット本体の先端部近傍には被係合部が設けられ、蓋をカセット本体の上面に取り付けた際に係合部は被係合部に対して蓋が開くことを阻止するように係合し、該係合部の係合は、係合部又は被係合部を左右方向に移動させることにより解除されることを特徴とする医療検査用カセット。
【請求項２】
請求項１記載の医療検査用カセットにおいて、カセット本体に対して蓋を左右方向に位置合わせする左右位置合わせ部がカセット本体及び／又は蓋に設けられていることを特徴とする医療検査用カセット。
【請求項３】
請求項１又は２記載の医療検査用カセットにおいて、カセット本体、蓋及び折曲部は、射出成形により一体成形されていることを特徴とする医療検査用カセット。
【請求項４】
請求項１，２又は３記載の医療検査用カセットにおいて、係合部は、蓋の裏面に突設された柱状部と、該柱状部の先端部に設けられた鉤状部とを備え、該鉤状部は、柱状部から左右方向一方に突設され、該鉤状部が被係合部に下方から係合することを特徴とする医療検査用カセット。
【請求項５】
請求項４に記載の医療検査用カセットにおいて、係合部は、蓋の先端部の左右方向ほぼ中央に設けられ、蓋の先端部には、鉤状部の突設方向とは反対側の左右方向の端部に、開閉操作用タブが設けられており、蓋は弾性変形可能であることを特徴とする医療検査用カセット。
【発明の詳細な説明】
【技術分野】
【０００１】
本発明は医療検査用カセットに関するものである。
【背景技術】
【０００２】
この種従来の医療検査用カセットは、特許文献１〜７に記載のもののように、検体を収容可能なように上面を開放した方形容器からなるカセット本体と、このカセット本体の上面に着脱自在に取り付けられる蓋とを備えている。この蓋の開閉の利便性を確保するため、例えば特許文献１に記載のものでは、カセット本体と蓋のそれぞれの側縁部に係合溝や軸部からなるヒンジ要素を形成し、これらを係合させることによって蓋をカセット本体に折曲部を支点として回動させることにより開閉可能に構成している。
【特許文献１】特許第２９４６０４８号公報
【特許文献２】特開２００２−３０３５６８号公報
【特許文献３】特開２００２−２１４０９３号公報
【特許文献４】特開２００２−５８００号公報
【特許文献５】特開２００１−３２４４２８号公報
【特許文献６】特開平１０−２８１９５３号公報
【特許文献７】登録実用新案第３０６３３８０号公報
【発明の開示】
【発明が解決しようとする課題】
【０００３】
しかし、上記従来のカセットのように、カセット本体と蓋とを別々に成形して、これらを組み付けるようにすると、本体と蓋それぞれについて成形設備が必要であるとともに、成形後の品質管理、商品管理も別々に行わなければならないためコスト高となる。さらに、別体であると、製品の色調による寸法変化等により開閉力の規格維持が困難である。
【０００４】
また、臨床検査員は、カセットの開閉をピンセットで行うことが多く、従来のフタ固定構造ではフタを閉じることは簡単であったが、試験終了時の解体操作はピンセットで行うことが難しかった。
【０００５】
そこで、本願発明者らは、折り曲げ可能な薄肉部を介してカセット本体と蓋とを展開状態で一体成形し、薄肉部を折り曲げて蓋を開閉可能にすることを検討したが、かかる構成によれば、薄肉部を折り曲げる際に、力のかけ具合によって折り曲げ位置に若干ばらつきが生じてしまう。すると、カセット本体に対する蓋の前後方向の位置にばらつきが生じるが、従来のカセット本体と蓋との係合部は前後に突出する鉤状であったため、この係合部の係合の度合いがばらつき、強く係合しすぎるものや係合が非常に弱く容易に蓋が開いてしまうものが生じてしまう。さらに、カセットの成形材料をポリアセタールなどのヒンジ特性のないものを用いた場合、薄肉部を折り曲げると該薄肉部が割れてカセット本体と蓋とに分断されるが、この薄肉部が割れるときにカセット本体と蓋とが前後方向に位置ずれして係合し難くなる。
【０００６】
本発明は、斯かる実情に鑑み、製造コストを大幅に低減しつつ、カセット本体に対する蓋の係合力を一定にすることができる医療検査用カセットを提供しようとするものである。
【課題を解決するための手段】
【０００７】
本発明は、上記課題を解決するために、次の技術的手段を講じた。
【０００８】
即ち、本発明の医療検査用カセットは、上面開放方形状の容器からなるカセット本体と、該カセット本体の上面に取り付けられる蓋とを備え、これらカセット本体と蓋とは薄肉かつ左右方向に長尺の折曲部を介して一体成形され、蓋の先端部近傍には係合部が設けられ、カセット本体の先端部近傍には被係合部が設けられ、蓋をカセット本体の上面に取り付けた際に係合部は被係合部に対して蓋が開くことを阻止するように係合し、該係合部の係合は、係合部又は被係合部を左右方向に移動させることにより解除されることを特徴とするものである。
【０００９】
かかる本発明の医療検査用カセットによれば、蓋とカセット本体とが一体成形されたものであるから、成形金型も一つでよく、製造コストを大幅に削減し得るとともに、成形後においても蓋とカセット本体とを別々に管理する必要がなく、管理コスト、輸送コストも大幅に削減可能である。また、使用時にユーザーが薄肉の折曲部を折り曲げて蓋をカセット本体の上面に取り付けた際に、折曲部の折り曲げ位置がずれたとしても、蓋の係合部とカセット本体の被係合部との係合は、係合部又は被係合部を左右方向に移動させることにより解除されるように構成され、カセット本体に対する蓋の前後方向の位置ずれは上記係合の状態に殆ど影響しないので、係合部と被係合部との係合力を一定化することができ、不慮に蓋が開いたり、蓋が開けなくなることを防止できる。
【００１０】
上記本発明の医療検査用カセットにおいて、カセット本体に対して蓋を左右方向に位置合わせする左右位置合わせ部をカセット本体及び／又は蓋に設けるのが好ましい。この位置合わせ部は適宜の構造とすることができ、例えば、カセット本体の上面の左右縁部に蓋が嵌合するように形成された段部や、カセット本体に内嵌するように蓋の下面の左右縁部に形成した枠状部などにより位置合わせ部を構成することができる。
【００１１】
上記カセット本体、蓋及び折曲部は、射出成形により一体成形することができる。この場合、射出ゲートをカセット本体側にのみ設けてもよく、蓋側にのみ設けてもよい。また、折曲部の肉厚が０．２５〜０．３０ｍｍであると、蓋側からカセット本体側、若しくは、カセット本体側から蓋側への溶融樹脂の流動が好適となり、生産性や歩留まりを向上できる。
【００１２】
上記係合部は、適宜の構造とすることができるが、好ましくは、蓋の裏面に突設された柱状部と、該柱状部の先端部に設けられた鉤状部とを備えるものとすることができる。該鉤状部は、柱状部から左右方向一方に突設させることができ、該鉤状部を被係合部に下方から係合させることができる。
【００１３】
より好ましくは、係合部は、蓋の先端部の左右方向ほぼ中央に設けることができる。また、蓋の先端部には、鉤状部の突設方向とは反対側の左右方向の端部に、開閉操作用タブを設けることができる。そして、蓋を弾性変形可能に構成することによって、開閉操作用タブを指で引き上げると、まず鉤状部と被係合部との係合位置を支点に捻れるように蓋が弾性変形し、この変形により上記係合が外れやすくなって、さらにタブを引き上げることにより鉤状部が被係合部から左右方向にずれて係合が解除される。これによれば、不慮に蓋が開くことを確実に防止しつつ、蓋を開く際にはタブを引き上げることで軽い力で蓋を開くことが可能になる。よって、ピンセットで蓋を開く際にも操作が簡単になる。
【発明の効果】
【００１４】
本発明の医療検査用カセットによれば、製造コストを大幅に低減しつつ、カセット本体に対する蓋の係合力を一定にすることができる。
【発明を実施するための最良の形態】
【００１５】
以下、本発明の実施の形態を図示実施例に基づいて説明する。
【００１６】
図１〜図４は本発明の一実施例に係る医療検査用カセット１を示しており、このカセット１は、内部に病理組織などの検体を収容可能な上面開放長方形状の容器からなるカセット本体２と、該カセット本体２の上面に取り付けられる蓋３とが、左右方向に長尺の薄肉の折曲部４を介して射出成形により一体成形されたものである。該カセット１は、例えば、ポリアセタール（ＰＯＭ）等の適宜の樹脂材料によって成形できる。なお、本明細書において、カセット本体２及び蓋３の基端部とは折曲部４が設けられた部位であり、先端部とは折曲部４に対して反対側の端部をいう。
【００１７】
カセット本体２は、底板５と方形枠状の側板６とから主構成されており、底板５には多数の透孔７が設けられている。また、カセット本体２の先端側側壁の外側には底部に向かって末広がり状に傾斜した板状の記録部８が設けられ、該記録部８の内側に鉤形状の被係合部９が設けられている。すなわち、被係合部９は、カセット本体２の先端部近傍かつ左右方向ほぼ中央に設けられている。
【００１８】
蓋３はほぼ平板状であって弾性変形可能であり、蓋３にも多数の透孔１０が設けられており、蓋３の裏面にはカセット本体２の側板６に内嵌する位置合わせ枠部１１（左右位置合わせ部）が形成されている。該蓋３は、折曲部４を折り曲げることにより該折曲部４を支点に開閉操作可能である。該折曲部４の肉厚は０．２５〜０．３０ｍｍが好ましく、また、折曲部４の前後方向の幅は０．４５〜０．５５ｍｍが好ましい。
【００１９】
蓋３の先端部の裏面中央部には鉤形状の係合部１２が設けられている。該係合部１２は、蓋３をカセット本体２の上面に取り付けた際に被係合部９に対して蓋３が開くことを阻止するように係合し、該係合部１２の係合は、係合部１２又は被係合部９を左右方向に移動させることにより解除されるようになっている。
【００２０】
具体的には、係合部１２は、蓋３の裏面から裏面側に向けて突設された柱状部１２ａと、該柱状部１２ａの先端部に設けられた鉤状部１２ｂとを備え、該鉤状部１２ｂは、柱状部１２ａから図２及び図３に矢印Ａで示す左右方向一方に突設されている。一方、被係合部９は、図４に示すように、カセット本体２の先端部近傍から裏面側に向けて突設された柱状部９ａと、該柱状部９ａの先端部に設けられた係止片９ｂとを備え、該係止片９ｂは矢印Ａとは反対方向（左右方向他方）に向けて突設されているとともに、係止片９ｂの下面は、突出先端側に向かうにしたがって上方に傾斜する傾斜面となされている。そして、蓋３をカセット本体２の上面に嵌着させると、上記係合部１２の鉤状部１２ｂが被係合部９の係止片９ｂの先端下面に下方から係合して、蓋３が開くのを阻止する。したがって、折曲部４の折り曲げ位置が若干前後にずれても、係合部１２と被係合部９との係合状態はほぼ一定であり、係合力を安定化することができる。なお、係合部１２および被係合部９は、これら相互の係合時および係合解除時に弾性変形可能である。
【００２１】
また、蓋３の先端部には、鉤状部１２ｂの突設方向とは反対側の左右方向の端部に、開閉操作用タブ１３が先端側に向けて突出形成されている。該タブ１３は、蓋３を閉じたとき、即ちカセット本体２の上面に取り付けたときに傾斜面状の記録部８の上方に位置し、指で上方に引き上げることが可能になっている。蓋３を閉じた状態でタブ１３を上方に引き上げると、蓋３が捻れるように弾性変形して係合部１２が鉤状部１２ｂを支点に係合が解除される方向に若干回転するため、係合部１２と被係合部９との係合が外れやすくなるため、軽い力で蓋を開くことができる。
【００２２】
上記実施例によれば、蓋３の左右方向のガタ止めを本体２と蓋３とのインロー嵌合構造により行い、係合部１２の鉤状部１２ｂの向きを左右方向とすることで、折曲部４の折り曲げ位置のばらつきによる係合力への影響がほとんどなく、蓋３の開閉力を安定化することができる。また、係合部１２と被係合部９との係合しろを多く取ることができるので、より確実なロックを行うことができる一方、タブ１３を設ける位置を鉤状部１２ｂの突設方向に対して上記の関係とすることで蓋３を意図的に開く際には容易に係合解除させることができる。また、係合部１２の突出長さを長くすることができ、これにバネ性を持たせることによって開閉感も良好なものとすることができる。また、色調の違いによる寸法変化の影響も少ないため、不良率の低減、生産性の向上をも図られる。
【００２３】
本発明は、上記実施例に限定されるものではなく、適宜設計変更することができる。
【産業上の利用可能性】
【００２４】
本発明の医療検査用カセットは、病理組織の顕微鏡標本の作製等のために病理組織をパラフィンに埋め込む際に病理組織を保持する容器として利用可能である。
【図面の簡単な説明】
【００２５】
【図１】本発明の一実施例に係る医療検査用カセットの全体縦断面図である。
【図２】同医療検査用カセットの展開状態の平面図である。
【図３】同医療検査用カセットの展開状態の蓋側から見た正面図である。
【図４】同医療検査用カセットの蓋を閉じた状態の嵌合状態図である。
【符号の説明】
【００２６】
１  医療検査用カセット
２  カセット本体
３  蓋
４  折曲部
９  被係合部
１２  係合部
１３  開閉操作用タブ
【図１】
2005106485.tif 000003
【図２】
2005106485.tif 000004
【図３】
2005106485.tif 000005
【図４】
2005106485.tif 000006